【手続補正書】
【提出日】平成24年2月6日(2012.2.6)
【手続補正１】
【補正対象書類名】特許請求の範囲
【補正対象項目名】全文
【補正方法】変更
【補正の内容】
【特許請求の範囲】
【請求項１】
画像を印刷する印刷装置に通信手段を介して画像を送信するデジタルカメラであって、
前記通信手段を介して前記印刷装置と通信し、前記印刷装置の機能情報を取得する取得手段と、
前記取得手段により取得した前記機能情報を記憶する機能情報記憶手段と、
印刷装置に供給する画像を選択可能とする印刷設定選択手段であって、前記印刷装置と通信しているときは、前記通信手段を介して取得した機能情報に応じた印刷設定を指定可能とし、前記印刷装置と通信していない場合には、前記機能情報記憶手段で記憶した機能情報に応じた印刷設定を指定可能とする印刷設定選択手段と、
前記印刷設定選択手段により印刷設定を指定しているときに前記印刷装置と通信していない場合は、前記印刷設定選択手段で指定された印刷設定で画像を印刷するための印刷制御情報を生成する印刷制御情報生成手段と、を有し、
前記印刷装置と通信を開始した後で、前記印刷制御情報生成手段で生成した印刷制御情報を用いて前記印刷装置により前記選択された画像を印刷するための通信を行うことを特徴とするデジタルカメラ。
【請求項２】
前記印刷制御情報生成手段で印刷制御情報を生成した後での通信により前記取得手段により新たに機能情報を取得し、前記新たに取得した機能情報と、それまでの通信で前記機能情報記憶手段に記憶されていた機能情報とを比較する機能情報比較手段と、
前記機能情報比較手段で一致しないと判定される場合に、前記印刷制御情報生成手段で生成されていた印刷設定を修正すること促す通知を行う通知手段とを有することを特徴とする請求項１に記載のデジタルカメラ。
【請求項３】
前記機能情報は、ＰｉｃｔＢｒｉｄｇｅのＣａｐａｂｉｌｉｔｙ情報であることを特徴とする請求項１又は２に記載のデジタルカメラ。
【請求項４】
前記機能情報は、印刷装置の製造元情報、製品バージョン情報、製品名情報並びに製造番号情報、印刷装置に設定された用紙サイズ情報、及び印刷装置が印刷可能なプリントレイアウトに係るレイアウト情報のうちの少なくともいずれかを含んでいることを特徴とする請求項１〜３のいずれか１項に記載のデジタルカメラ。
【請求項５】
前記印刷設定は、プリントレイアウトに関する設定であることを特徴とする請求項１〜４のいずれか１項に記載のデジタルカメラ。
【請求項６】
前記印刷設定選択手段は、前記機能情報記憶手段で記憶した機能情報を送信した印刷装置で印刷可能な印刷設定で、かつ当該デジタルカメラで指定可能な印刷設定を指定可能とすることを特徴とする請求項１〜５のいずれか１項に記載のデジタルカメラ。
【請求項７】
前記機能情報記憶手段は、直前に通信した印刷装置の機能情報を記憶することを特徴とする請求項１〜６のいずれか１項に記載のデジタルカメラ。
【請求項８】
前記印刷制御情報生成手段で印刷制御情報を生成した後での通信により前記取得手段により新たに機能情報を取得し、前記新たに取得した機能情報が、既に生成されている印刷制御情報に適合するか否か判定する判定手段と、
前記判定手段により、適合しないことが判定された場合に、前記印刷制御情報生成手段で生成されていた印刷設定を修正すること促す通知を行う通知手段とを有することを特徴とする請求項１に記載のデジタルカメラ。
【請求項９】
当該デジタルカメラは、有線又は無線通信により、前記印刷制御情報及び前記選択された画像を印刷装置に供給することを特徴とする請求項１〜８のいずれか１項に記載のデジタルカメラ。
【請求項１０】
当該デジタルカメラは、印刷装置とカメラダイレクトプリントを行うことを特徴とする請求項１〜９のいずれか１項に記載のデジタルカメラ。
【請求項１１】
前記印刷制御情報は、ＤＰＯＦファイルであることを特徴とする請求項１〜１０のいずれか１項に記載のデジタルカメラ。
【請求項１２】
画像を印刷する印刷装置と、前記印刷装置に画像を送信するデジタルカメラとが通信手段を介して接続するプリントシステムであって、
前記デジタルカメラは、
前記通信手段を介して前記印刷装置と通信し、前記印刷装置の機能情報を取得する取得手段と、
前記取得手段により取得した前記機能情報を記憶する機能情報記憶手段と、
印刷装置に供給する画像を選択可能とする印刷設定選択手段であって、前記印刷装置と通信しているときは、前記通信手段を介して取得した機能情報に応じた印刷設定を指定可能とし、前記印刷装置と通信していない場合には、前記機能情報記憶手段で記憶した機能情報に応じた印刷設定を指定可能とする印刷設定選択手段と、
前記印刷設定選択手段により印刷設定を指定しているときに前記印刷装置と通信していない場合は、前記印刷設定選択手段で指定された印刷設定で画像を印刷するための印刷制御情報を生成する印刷制御情報生成手段と、を有し、
前記印刷装置と通信を開始した後で、前記印刷制御情報生成手段で生成した印刷制御情報を用いて前記印刷装置により前記選択された画像を印刷するための通信を行い、
前記印刷装置は、前記デジタルカメラから送信された前記印刷制御情報及び前記選択された画像に基づき、画像を印刷することを特徴とするプリントシステム。
【請求項１３】
画像を印刷する印刷装置に通信手段を介して画像を送信するデジタルカメラの制御方法であって、
前記通信手段を介して前記印刷装置と通信し、前記印刷装置の機能情報を取得する取得ステップと、
前記取得ステップにより取得した前記機能情報を記憶媒体に記憶する機能情報記憶ステップと、
印刷装置に供給する画像を選択可能とする印刷設定選択ステップであって、前記印刷装置と通信しているときは、前記通信手段を介して取得した機能情報に応じた印刷設定を指定可能とし、前記印刷装置と通信していない場合には、前記機能情報記憶ステップで記憶した機能情報に応じた印刷設定を指定可能とする印刷設定選択ステップと、
前記印刷設定選択ステップにより印刷設定を指定しているときに前記印刷装置と通信していない場合は、前記印刷設定選択ステップで指定された印刷設定で画像を印刷するための印刷制御情報を生成する印刷制御情報生成ステップと、
前記印刷装置と通信を開始した後で、前記印刷制御情報生成ステップで生成した印刷制御情報を用いて前記印刷装置により前記選択された画像を印刷するための通信を行うステップと、を有することを特徴とするデジタルカメラの制御方法。
【請求項１４】
画像を印刷する印刷装置に通信手段を介して画像を送信するデジタルカメラの制御をコンピュータに実行させるためのプログラムであって、
前記通信手段を介して前記印刷装置と通信し、前記印刷装置の機能情報を取得する取得ステップと、
前記取得ステップにより取得した前記機能情報を記憶媒体に記憶する機能情報記憶ステップと、
印刷装置に供給する画像を選択可能とする印刷設定選択ステップであって、前記印刷装置と通信しているときは、前記通信手段を介して取得した機能情報に応じた印刷設定を指定可能とし、前記印刷装置と通信していない場合には、前記機能情報記憶ステップで記憶した機能情報に応じた印刷設定を指定可能とする印刷設定選択ステップと、
前記印刷設定選択ステップにより印刷設定を指定しているときに前記印刷装置と通信していない場合は、前記印刷設定選択ステップで指定された印刷設定で画像を印刷するための印刷制御情報を生成する印刷制御情報生成ステップと、
前記印刷装置と通信を開始した後で、前記印刷制御情報生成ステップで生成した印刷制御情報を用いて前記印刷装置により前記選択された画像を印刷するための通信を行うステップとをコンピュータに実行させることを特徴とするプログラム。
【請求項１５】
請求項１４に記載のプログラムを記憶したコンピュータ読み取り可能な記憶媒体。
【手続補正２】
【補正対象書類名】明細書
【補正対象項目名】発明の名称
【補正方法】変更
【補正の内容】
【発明の名称】デジタルカメラ、その制御方法及びプログラム
【手続補正３】
【補正対象書類名】明細書
【補正対象項目名】０００１
【補正方法】変更
【補正の内容】
【０００１】
本発明は、デジタルカメラとパーソナルプリンタ等の印刷装置とで実行するカメラダイレクトプリントにおいて、デジタルカメラで指定した印刷設定に従い印刷装置で印刷を実行する際に、所望の印刷画像を得るための技術に関する。
【手続補正４】
【補正対象書類名】明細書
【補正対象項目名】００１３
【補正方法】変更
【補正の内容】
【００１３】
本発明のデジタルカメラは、画像を印刷する印刷装置に通信手段を介して画像を送信するデジタルカメラであって、前記通信手段を介して前記印刷装置と通信し、前記印刷装置の機能情報を取得する取得手段と、前記取得手段により取得した前記機能情報を記憶する機能情報記憶手段と、印刷装置に供給する画像を選択可能とする印刷設定選択手段であって、前記印刷装置と通信しているときは、前記通信手段を介して取得した機能情報に応じた印刷設定を指定可能とし、前記印刷装置と通信していない場合には、前記機能情報記憶手段で記憶した機能情報に応じた印刷設定を指定可能とする印刷設定選択手段と、前記印刷設定選択手段により印刷設定を指定しているときに前記印刷装置と通信していない場合は、前記印刷設定選択手段で指定された印刷設定で画像を印刷するための印刷制御情報を生成する印刷制御情報生成手段と、を有し、前記印刷装置と通信を開始した後で、前記印刷制御情報生成手段で生成した印刷制御情報を用いて前記印刷装置により前記選択された画像を印刷するための通信を行うことを特徴とする。